(57)【要約】      （修正有）【課題】パネルの設置現場等でも、パネル用架台を簡単かつ確実に成形することができるパネル用架台の成形型を提供する。【解決手段】底型板２５上に、前後型板２７，２８と、左右側型板２９と、架台内に前後方向の溝を形成する中子部材３３とを設けたパネル用架台の成形型であって、底型板２５が、前後型板２７，２８の底部間に架台の傾斜載置面を形成するように前上がりに傾斜して配置され、左右側型板２９と中子部材３３との間の底型板２５上面に、架台の傾斜載置面に埋設されるナット１０を保持するナット保持部材３５を設ける。【選択図】図１
2014185485.tif 000002
【特許請求の範囲】
【請求項１】
底型板（２５）上に、架台（１）の前後面を形成する前後型板（２７，２８）と、架台（１）の左右側面を形成する左右側型板（２９）と、この左右側型板（２９）間に配置されて架台（１）内に前後方向の溝（３１）を形成する中子部材（３３）とを設けたパネル用架台の成形型であって、
前記底型板（２５）が、前後型板（２７，２８）の底部間に架台（１）の傾斜載置面（６ａ）を形成するように前上がりに傾斜して配置され、前記左右側型板（２９）と中子部材（３３）との間の底型板（２５）上面に、架台（１）の傾斜載置面（６ａ）に埋設されるナット（１０）を保持するナット保持部材（３５）を設けていることを特徴とするパネル用架台の成形型。
【請求項２】
前記前後型板（２７，２８）と底型板（２５）とを左右方向に長尺に形成し、底型板（２５）上に左右方向に一定間隔をおいて複数の左右側型板（２９）と複数の中子部材（３３）と複数のナット保持部材（３５）とを配設していることを特徴とする請求項１に記載のパネル用架台の成形型。
【請求項３】
底型板（２５）の上面を傾斜状態に保持すべく底型板（２５）を設置するための支持脚（４１）を底型板（２５）から下方に突設しており、支持脚（４１）は下端側に水平な設置面（４１ａ）を有すると共に上端側に底型板（２５）を載置固定する傾斜した傾斜固定面（４１ｂ）を有していることを特徴とする請求項１又は２に記載のパネル用架台の成形型。
【発明の詳細な説明】
【技術分野】
【０００１】
本発明は、太陽電池パネル等のパネルを傾斜状に設置するためのパネル用架台の成形型に関するものである。
【背景技術】
【０００２】
太陽電池パネルを前下がりの傾斜状に設置するためのパネル用架台には、矩形状に形成された底板部と、底板部の左右両端から立設していて太陽電池パネルを載置するための左右一対の受台部とがコンクリートによって正面視コ字状（Ｕ字状）に形成され、左右受台部は、太陽電池パネルを前下がりの傾斜状態に載置するようにその上端に傾斜載置面が形成され、かつパネル装着手段のボルトを螺合するためのナットが受台部の傾斜載置面に露出するように受台部に埋設されたものがある（例えば特許文献１）。
【０００３】
ところで、Ｕ字状部材を成形型によってコンクリートで一体に形成する場合、例えば特許文献２、３に示すように、成形型として、底型板上に、Ｕ字状部材の前後面を形成する前後型板と、Ｕ字状部材の左右側面を形成する左右側型板と、この左右側型板間に配置されてＵ字状部材内に前後方向の溝を形成する中子部材とを設け、底型板上の前後型板間及び左右側型板間にコンクリートを中子部材の上方まで流し込んで、Ｕ字状部材をコンクリートによって一体に形成することが一般的に考えられる。
【先行技術文献】
【特許文献】
【０００４】
【特許文献１】実用新案登録第３１７８５８４号公報
【特許文献２】実開昭５５−１１８７０６号公報
【特許文献３】実公昭６１−９３２０９号公報
【発明の概要】
【発明が解決しようとする課題】
【０００５】
しかし、前記パネル用架台は、左右一対の受台部の傾斜載置面が水平方向に対して前下がりに傾斜しており、受台部の傾斜載置面を成形型のどのような構成によって形成するかが問題であったし、また、どのようにしてナットを傾斜載置面に露出するように受台部に埋設するかが問題であった。しかも、従来のＵ字状部材の成形型には、中子部材を出退移動させる機構を具備したりして成形型が複雑な構成になっているものがあった（例えば特許文献３）。
【０００６】
従って、従来のような成形型では、太陽電池パネルの設置現場等で、傾斜載置面や埋設したナットを有するパネル用架台を簡単かつ確実に形成することが困難であった。
本発明は上記問題点に鑑み、パネルの設置現場等でも、パネル用架台を簡単かつ確実に成形することができるパネル用架台の成形型を提供することを目的とする。
【課題を解決するための手段】
【０００７】
本発明における課題解決のための具体的手段は、次の通りである。
この技術的課題を解決する本発明の技術的手段は、底型板２５上に、架台１の前後面を形成する前後型板２７，２８と、架台１の左右側面を形成する左右側型板２９と、この左右側型板２９間に配置されて架台１内に前後方向の溝３１を形成する中子部材３３とを設けたパネル用架台の成形型であって、
前記底型板２５が、前後型板２７，２８の底部間に架台１の傾斜載置面６ａを形成するように前上がりに傾斜して配置され、前記左右側型板２９と中子部材３３との間の底型板２５上面に、架台１の傾斜載置面６ａに埋設されるナット１０を保持するナット保持部材３５を設けている点にある。
【０００８】
また、本発明の他の技術的手段は、前記前後型板２７，２８と底型板２５とを左右方向に長尺に形成し、底型板２５上に左右方向に一定間隔をおいて複数の左右側型板２９と複数の中子部材３３と複数のナット保持部材３５とを配設している点にある。
また、本発明の他の技術的手段は、底型板２５の上面を傾斜状態に保持すべく底型板２５を設置するための支持脚４１を底型板２５から下方に突設しており、支持脚４１は下端
側に水平な設置面４１ａを有すると共に上端側に底型板２５を載置固定する傾斜した傾斜固定面４１ｂを有している点にある。
【発明の効果】
【０００９】
本発明によれば、底型板が、前後型板の底部間に架台の傾斜載置面を形成するように前下がりに傾斜して配置され、前記左右側型板と中子部材との間の底型板上面に、架台の傾斜載置面に埋設されるナットを保持するナット保持部材を設けているので、底型板上に生コンクリートを中子部材の上方まで流し込んで乾燥させることにより、底板部と左右一対の受台部とを有する断面コの字状のパネル用架台を上下逆さにした状態に一体に形成することができる。
【００１０】
この際に、中子部材の上方に矩形状の底板部が形成され、底板部の下面は中子部材の上方に位置して水平状になる。そして、底型板の傾斜によって、パネル用架台の左右受台部の上端に前下がりに傾斜した傾斜載置面を簡単に形成することができるし、ナット保持部材にナットを保持しておくことにより、ナットを傾斜載置面に露出するように左右受台部に簡単に埋設することができる。
【００１１】
従って、太陽電池パネルの設置現場等で、傾斜載置面や埋設したナットを有するパネル用架台を簡単かつ確実に形成することが可能になる。
【図面の簡単な説明】
【００１２】
【図１】本発明の一実施形態を示す図３のＡ−Ａ線断面図である。
【図２】図４のＢ−Ｂ線断面図である。
【図３】パネル用架台の成形型の正面図である。
【図４】パネル用架台の成形型の平面図である。
【図５】パネル用架台を使用して太陽電池パネルを傾斜状に設置した状態を示す側面図である。
【図６】同平面図である。
【図７】同正面図である。
【図８】同前部側の拡大側面断面図である。
【発明を実施するための形態】
【００１３】
以下、本発明の実施の形態を図面に基づいて説明する。
図５〜図８は本発明の成形型で成形したパネル用架台１を使用して太陽電池パネル２を傾斜状に設置した状態を示している。図５〜図８において、太陽電池パネル２を傾斜状に設置するためのパネル用架台１は、矩形状に形成された底板部５と、底板部５の左右両端から立設していて太陽電池パネル２を載置するための左右一対の受台部６とがコンクリートによって正面視コ字状に一体に形成されている。
【００１４】
左右受台部６は、太陽電池パネル２を前下がりの傾斜状態に載置するようにその上端に傾斜載置面６ａが形成され、かつパネル装着手段のボルト９を螺合するためのナット１０が受台部６の傾斜載置面６ａに露出するように左右受台部６に埋設されている。ナット１０は左右受台部６の前部と後部とに前後一対設けられていて、各ナット１０は底部１０ａを有する有底円筒状に形成され、ナット１０の開口端が受台部６の傾斜載置面６ａに露出するように受台部６に埋設されている。
【００１５】
パネル用架台１は、底板部５を介して水平な設置面に載置され、左右の受台部６の傾斜載置面６ａ上に、前後方向に長い角筒状の左右一対の支持部材１２を介して４枚の太陽電池パネル２が取り付けられている。
左右の支持部材１２は、前後一対の取付孔１３と各取付孔１３に対応する穴１４とを有し、それぞれ左右の受台部６の傾斜載置面６ａ上に前方及び後方に突出状に配置され、支持部材１２の取付孔１３に挿通したパネル装着手段のボルト９をナット１０に螺合して締め付けることにより、各支持部材１２は前後の２カ所で左右の受台部６の傾斜載置面６ａ上に固定されている。
【００１６】
左右の支持部材１２上に跨るように前後方向に並んで４枚の太陽電池パネル２が配置され、最前部の太陽電池パネル２の前端部は、ボルトナット１５により支持部材１２に締め付け固定されたＬ字状の取付金具１７によって支持部材１２の前部に締め付け固定され、
最後部の太陽電池パネル２の後端部は同様にＬ字状の取付金具１７により支持部材１２の後部に締め付け固定されている。
【００１７】
左右の支持部材１２上の前後に隣り合う太陽電池パネル２間にＵ字状の取付金具１９が設けられ、これら取付金具１９はそれぞれビス２０により支持部材１２に固定されており、これらの取付金具１９によって、前側から１番目（最前部）の太陽電池パネル２の後端部及び前側から２番目の太陽電池パネル２の前端部と、前側から２番目の太陽電池パネル２の後端部及び前側から３番目の太陽電池パネル２の前端部と、前側から３番目の太陽電池パネル２の後端部及び前側から４番目（最後部）の太陽電池パネル２の前端部とは、それぞれ支持部材１２に締め付け固定されている。
【００１８】
図１〜図４は、前記パネル用架台１を成形するための成形型２３の一実施形態を示している。図１〜図４において、パネル用架台１の成形型２３は、底型板２５を備えると共に、底型板２５上に、架台１の前面を形成する前型板２７と、架台１の後面を形成する後型板２８と、架台１の左右側面を形成する左右側型板２９と、この左右側型板２９間に配置されて架台１内に前後方向の溝３１を形成する中子部材３３とを有している。
【００１９】
前記底型板２５が、前後型板２７，２８の底部間に架台１の傾斜載置面６ａを形成するように前上がりに傾斜して配置されている。
前型板２７は底型板２５の前端部上から上方に突設され、後型板２８は底型板２５の前端部上から上方に突設されている。左右側型板２９は矩形の板状に形成されて、左右方向に間隔をおいて底型板２５から上方に突設されている。前後型板２７，２８の上端面及び左右側型板２９の上端面は水平でかつ互いに同一高さに設定されている。
【００２０】
前記左右側型板２９と中子部材３３との間の底型板２５上面に、架台１の傾斜載置面６ａに埋設されるナット１０を保持するナット保持部材３５が設けられている。ナット保持部材３５はナット１０に内嵌するピンにより構成されて、底型板２５の上面から垂直状に上方突設されている。このナット保持部材３５に有底円筒状のナット１０がその開口端を下に向けた状態で外嵌保持され、ナット１０の開口端が底型板２５の上面に接当されている。
【００２１】
前記前後型板２７，２８と底型板２５とは左右方向に長尺に形成され、底型板２５上に左右方向に一定間隔をおいて複数の左右側型板２９と複数の中子部材３３と複数のナット保持部材３５とが配設されている。
而して、底型板２５（の一部）と前型板２７（の一部）と後型板２８（の一部）と左右に隣り合う左側型板２９と右側型板２９とで上端が開口した長方形の箱体３７が形成され、この箱体３７が左右方向に連続して複数個列設された状態になっていて、各箱体３７内にそれぞれ１つずつ中子部材３３が配置されている。従って、箱体３７毎に１つのパネル用架台１を一体形成できるようになっていて、左右に隣り合う箱体３７のうち左側の箱体３７の右側型板２９は、右側の箱体３７の左側型板２９に順次兼用されている。
【００２２】
中子部材３３は、内部に空洞を有する門型状又は逆Ｕ字状に形成され、その上端側に水平な上端面３３ａを有すると共に下端側に底型板２５上に載置される前上がりに傾斜した傾斜下端面３３ｂを有し、中子部材３３の前端面が前型板２７の内面に当接され、中子部材３３の後端面が後型板２８の内面に当接されている。また、中子部材３３の左右側面３３ｄがそれぞれ左右に所定間隔をおいて左右側型板２９に対向されている。
【００２３】
中子部材３３の左右側面３３ｄには、上方に行くに従って徐々に左右方向内方に向かうように傾斜された抜き勾配が形成されている。即ち、中子部材３３が上方に向けてやや先細りになるように中子部材３３の左右側面３３ｄが僅かに傾斜されている。
中子部材３３の上端面は前後型板２８の上端面及び左右側型板２９の上端面よりも下方に位置しており、中子部材３３の上端面と、前後型板２８の上端面及び左右側型板２９の上端面との段差は、パネル用架台１の底板部５の厚みに対応している。
【００２４】
底型板２５の上面を傾斜状態に保持すべく底型板２５を設置するための支持脚４１が底型板２５から下方に突設されており、支持脚４１は左右方向に間隔をおいて複数個設けられ、各支持脚４１は下端側に水平な設置面４１ａを有すると共に上端側に底型板２５を載置固定する傾斜固定面４１ｂを有し、傾斜固定面４１ｂは底型板２５の傾斜に対応して前
上がり方向に傾斜されている。
【００２５】
なお、中子部材３３は、底型板２５、前型板２７や後型板２８に固定具で固定するようにしてもよいし、底型板２５上の前型板２７と後型板２８との間に着脱自在に嵌合保持するようにしてもよい。
前記実施形態によれば、成形型２３によってパネル用架台１をコンクリートで一体に成形するには、底型板２５上の各左右側型板２９間に生コンクリートを中子部材３３の上方の前後型板２８及び左右側型板２９の上端面まで流し込んだ後に乾燥させればよく、底板部５と左右一対の受台部６とを有する断面コの字状のパネル用架台１を上下逆さにした状態に一体に形成することができる。
【００２６】
この際に、中子部材３３の上方に矩形状の底板部５が形成され、底板部５の下面は中子部材３３の上方に位置して水平状になる。そして、底型板２５の傾斜によって、パネル用架台１の左右受台部６の上端に前下がりに傾斜した傾斜載置面６ａを簡単に形成することができるし、ナット保持部材３５にナット１０を保持しておくことにより、ナット１０を傾斜載置面６ａに露出するように左右受台部６に簡単に埋設することができる。また、ナット１０は有底円筒状であってその開口端が底型板２５の上面に接当されているため、パネル用架台１を成形する際に、生コンクリートがナット１０内に侵入してナット１０の内部を塞ぐのを防止できる。
【００２７】
従って、太陽電池パネル２の設置現場等で、傾斜載置面６ａや埋設したナット１０を有するパネル用架台１を簡単かつ確実に形成することが可能になる。
また、本実施形態では、前後型板２８と底型板２５とを左右方向に長尺に形成し、底型板２５上に左右方向に一定間隔をおいて複数の左右側型板２９と複数の中子部材３３と複数のナット保持部材３５とを配設しているので、１つの成形型２３によって複数のパネル用架台１を同時に簡単に形成することができる。
【００２８】
また、底型板２５の上面を傾斜状態に保持すべく底型板２５を設置するための支持脚４１を底型板２５から下方に突設しており、支持脚４１は下端側に水平な設置面４１ａを有すると共に上端側に底型板２５を載置固定する傾斜した傾斜固定面４１ｂを有しているので、支持脚４１を介して成形型２３を水平な設置面４１ａに載置することによって、底型板２５が単に板状であっても、パネル用架台１の左右受台部６の傾斜載置面６ａの傾斜に対応して底型板２５の上面を前上がりに簡単かつ確実に傾斜させることができ、パネル用架台１の左右受台部６の傾斜載置面６ａを所望の傾斜角度に簡単に設定し得る。
【００２９】
なお、前記実施形態では、前後型板２８と底型板２５とを左右方向に長尺に形成し、底型板２５上に左右方向に一定間隔をおいて複数の左右側型板２９と複数の中子部材３３と複数のナット保持部材３５とを配設して、パネル用架台１を同時に複数個一体に形成するようにしているが、これに代え、底型板２５上に左右側型板２９と中子部材３３とナット保持部材３５とを１つずつ配設して、成形型２３で１つのパネル用架台１を一体に形成するようにしてもよい。
【符号の説明】
【００３０】
１      パネル用架台
６      受台部
６ａ    傾斜載置面
１０    ナット
１０ａ  底部
２５    底型板
２７    前型板
２８    後型板
２９    側型板
３１    溝
３３    中子部材
３５    ナット保持部材
４１    支持脚
４１ａ  設置面
４１ｂ  傾斜固定面
【図１】
2014185485.tif 000003
【図２】
2014185485.tif 000004
【図３】
2014185485.tif 000005
【図４】
2014185485.tif 000006
【図５】
2014185485.tif 000007
【図６】
2014185485.tif 000008
【図７】
2014185485.tif 000009
【図８】
2014185485.tif 000010